(57)【特許請求の範囲】
【請求項１】
芯上下操作を行なう芯上下軸（１）と、
この芯上下軸（１）を中心に回動自在に取付けられ、芯上下軸（１）の芯上げ方向への回動時に係止部（２）によって駆動される回動板（３）と、
前記係止部（２）を介して芯上下軸（１）を芯下げ方向に駆動する回動板（３）に取付けた戻しバネ（４）と、
前記回動板（３）の複数個所の係合部（３ａ）のひとつに係合して前記戻しバネ（４）による回動板（３）の回転力を保持するストッパー（５）とを設けた石油燃焼器において、
前記ストッパー（５）と係合する前記回動板（３）の複数個所の係合部（３ａ）の中には、芯の高さが上位の燃焼位置となる第一係合部（３ｃ）と、この上位の燃焼位置よりも芯の高さが低く、燃焼可能な最小の燃焼位置よりも芯の高さが高い下位の燃焼位置となる第二係合部（３ｂ）とを設け、
前記芯上下軸（１）の芯上げ方向への回動を停止する回転止め（６）を設け、該回転止め（６）は離開位置と可動位置のあいだで可動自在となっており、
該回転止め（６）の離開位置では芯上下軸（１）で芯上げ方向に回転する回動板（３）は第一係合部（３ｃ）とストッパー（５）とが係合し、
該回転止め（６）の可動位置では芯上下軸（１）で芯上げ方向に回転する回動板（３）は第二係合部（３ｂ）とストッパー（５）とが係合して、下位の燃焼位置を保持することを特徴とする石油燃焼器の芯上下装置。
【請求項２】
前記芯上下軸（１）は前記回動板（３）の複数個所の係合部（３ａ）と前記ストッパー（５）とを係合させながら、係止部（２）を介して芯上げ方向に回動板（３）を回転させるとともに、
前記芯上下軸（１）は係合部（３ａ）とストッパー（５）とが係合した状態で係止部（２）から離れて芯降下位置との間で独立して回動可能に設け、
離開位置から可動位置に回動した回転止め（６）によって前記回動板（３）の回転が止められた位置では、該回動板（３）の第二係合部（３ｂ）と前記ストッパー（５）とが係合し、
前記係止部（２）から離れて回動可能状態にある芯上下軸（１）を、下位の燃焼位置に向けて回動させても、上位の燃焼位置への回動は止めることを特徴とする請求項１記載の石油燃焼器の芯上下装置。
【請求項３】
芯上下軸（１）で操作される芯（７）を上下動自在に保持する芯収容筒（８）の上方に燃焼部（９）を配置し、該燃焼部（９）の外壁を構成する外筒（９ａ）と、外筒（９ａ）より外径の大きい上部筒（９ｂ）とを設け、該上部筒（９ｂ）は外筒（９ａ）の外周を上下動して燃焼部（９）の最大発熱量を可変すると共に、
前記回転止め（６）は上部筒（９ｂ）が下動した時に離開位置から可動位置に回動し、芯上下軸（１）の芯上げ方向への回動を下位の燃焼位置に止めることを特徴とする請求項１記載の石油燃焼器の芯上下装置。
【発明の詳細な説明】
【０００１】
【産業上の利用分野】
この発明は燃焼量調節が可能な芯上下式の石油燃焼器の芯上下装置に関するものである。
【０００２】
【従来の技術】
芯上下式の石油燃焼器はダイヤル式やレバー式などで構成する操作装置によって芯上下軸を回動するものであり、芯上下軸を芯上げ方向に回動すると芯が上動し、上動した芯に点火して燃焼を行なうものである。そして、燃焼中に芯上下軸を芯下げ方向に回動すれば芯が下動して消火するものである。
【０００３】
また、最近では燃焼量を絞っても不完全燃焼を起こしにくい燃焼部の開発が進み、芯の高さを調節することによって好みの燃焼量に変えることができるようになってきた。この為、燃焼中に使用者が望む室温や火力になると、芯上下軸を操作して燃焼量の調節範囲内で火力を調節できるようになっている。
【０００４】
【発明が解決しようとする課題】
このように燃焼量の調節ができるものには、燃焼量の調節範囲が表示されているものの、調節範囲内における芯の駆動距離はわずかである為に最大発熱量を低下させた燃焼状態に合わせて手動による燃焼量調節では難しく、異常燃焼を起こす恐れがあるので最適使用範囲を知らせることが望ましい。
【０００５】
また、芯を上下動自在に保持する芯収容筒の上方に配置する燃焼部は異なった最大燃焼量を持つものを交換使用する時があり、この燃焼部の変更を芯上下軸の回動で行なうことは非常に難しく、芯の上げすぎによる過剰燃焼を起こすことが多い。
【０００６】
【課題を解決するための手段】
この発明は上記の課題を解決する為のもので、芯上下操作を行なう芯上下軸１と、この芯上下軸１を中心に回動自在に取付けられ、芯上下軸１の芯上げ方向への回動時に係止部２によって駆動される回動板３と、前記係止部２を介して芯上下軸１を芯下げ方向に駆動する回動板３に取付けた戻しバネ４と、前記回動板３の複数個所の係合部３ａのひとつに係合して前記戻しバネ４による回動板３の回転力を保持するストッパー５とを設けた石油燃焼器において、前記ストッパー５と係合する前記回動板３の複数個所の係合部３ａの中には、芯の高さが上位の燃焼位置となる第一係合部３ｃと、この上位の燃焼位置よりも芯の高さが低く、燃焼可能な最小の燃焼位置よりも芯の高さが高い下位の燃焼位置となる第二係合部３ｂとを設け、前記芯上下軸１の芯上げ方向への回動を停止する回転止め６を設け、該回転止め６は離開位置と可動位置のあいだで可動自在となっており、該回転止め６の離開位置では芯上下軸１で芯上げ方向に回転する回動板３は第一係合部３ｃとストッパー５とが係合し、該回転止め６の可動位置では芯上下軸１で芯上げ方向に回転する回動板３は第二係合部３ｂとストッパー５とが係合して、下位の燃焼位置を保持する。
【０００７】
また、芯上下軸１は前記回動板３の複数個所の係合部３ａと前記ストッパー５とを係合させながら、係止部２を介して芯上げ方向に回動板３を回転させるとともに、前記芯上下軸１は係合部３ａとストッパー５とが係合した状態で係止部２から離れて芯降下位置との間で独立して回動可能に設け、離開位置から可動位置に回動した回転止め６によって前記回動板３の回転が止められた位置では、該回動板３の第二係合部３ｂと前記ストッパー５とが係合し、前記係止部２から離れて回動可能状態にある芯上下軸１を、下位の燃焼位置に向けて回動させても、上位の燃焼位置への回動は止めるので、最大燃焼量にあった燃焼量で燃焼できるものである。
【０００８】
また、芯上下軸１で操作される芯７を上下動自在に保持する芯収容筒８の上方に燃焼部９を配置し、該燃焼部９の外壁を構成する外筒９ａと、外筒９ａより外径の大きい上部筒９ｂとを設け、該上部筒９ｂは外筒９ａの外周を上下動して燃焼部９の最大発熱量を可変すると共に、前記回転止め６は上部筒９ｂが下動した時に離開位置から可動位置に回動し、芯上下軸１の芯上げ方向への回動を下位の燃焼位置に止めるので、最大発熱量が異なる燃焼部９に合わせて芯上下軸１による最大燃焼位置が一緒に切換わるものである。
【０００９】
【作用】
芯上下軸１を芯上げ方向に回動すると係止部２によって回動板３が戻しバネ４に蓄力しながら駆動し、回動板３の係合部３ａがストッパー５と係合するから、回動板３には戻しバネ４による芯下げ方向への回転力が保持される。この時、回転止め６を離開位置にしておけば、回動板３は上位の燃焼位置まで回動して第一係合部３ｃがストッパー５と係合する。また、燃焼部９を変更するなどで燃焼量を絞って使用したい時は、回転止め６を可動位置にしておけば芯上下軸１の芯上げ方向への回動が回転止め６によって止まるので、回動板３の第二係合部３ｂがストッパー５に係合して下位の燃焼位置が保持されるものである。
【００１０】
また、芯上下軸１は回動板３の係合部３ａとストッパー５とが係合した状態で芯下げ方向に独立して回動するから、回転止め６によって下位の燃焼位置で回動板３の回転が止められて回動板３の第二係合部３ｂとストッパー５とが係合したときは、回転止め６によって下位の燃焼位置が保持されたまま、芯降下位置との間で任意に芯上下させることができる。
【００１１】
更に、燃焼部９を形成する外筒９ａの外周を上部筒９ｂが上下動し、外筒９ａ・上部筒９ｂの全長を伸縮可能として最大発熱量を変更できる燃焼部９の時には、燃焼部９の発熱量の変更に合わせて回転止め６が可動位置に移動するので、燃焼部９の発熱量の変更に合わせて芯上下軸１の芯上げ方向への回動が回転止め６によって下位の燃焼位置で止まるものとなった。
【００１２】
【実施例】
図に示すダイヤル式の石油燃焼器によってこの発明を説明すると、１０は油タンク、８は油タンク１０から立設した芯収容筒、７は芯収容筒８内に上下動自在に挿通した芯、１は芯上下操作を行なう芯上下軸であり、芯上下軸１を回動すると芯７が芯収容筒８内を上下動する。
【００１３】
９は芯収容筒８の上方に配置した燃焼部であり、芯上下軸１を芯上げ方向に回動して芯７を上動し、点火ヒータなどの点火装置によって芯７に点火すると、芯７で吸上げられた油タンク１０の燃料が芯７の上端で燃焼を開始し、燃焼部９内の上昇気流によって燃焼が促進する。
【００１４】
３は芯上下軸１に遊嵌して芯上下軸１を中心に回動する歯車で構成した回動板、１ａは芯上下軸１に設けた係止片、３ｄは回動板３に設けた突部、２は係止片１ａと突部３ｄとで構成する係止部であり、芯上下軸１を芯上げ方向に回動すると係止部２を構成する係止片１ａが回動板３の突部３ｄを押すので、芯上下軸１と回動板３とが一緒に回動する。
【００１５】
４は回動板３と芯収容筒８との間に取付けた戻しバネ、５は芯上げ方向に回動時の回動板３に係合するストッパー、３ａは回動板３に設けたストッパー５との係合部であり、回動板３は芯上げ動作時に戻しバネ４を巻上げ、回動板３の係合部３ａがストッパー５に係合すると回動板３には戻しバネ４による芯下げ方向への回転力が保持される。
【００１６】
１１は回動板３に係合したストッパー５を可動する感振器であり、感振器１１が振動を検出するとストッパー５を可動して回動板３の係合部３ａから係合を外し、ストッパー５が外れた回動板３は戻しバネ４によって芯下げ方向に回動し、突部３ｄが係止片１ａを押すから芯上下軸１が回動板３と一緒に芯下げ方向に回動して消火する。
【００１７】
一方、芯上下軸１は回動板３とストッパー５とが係合状態の時に係止片１ａが突部３ｄから離れて任意に芯７を上下動させることができるので、芯上下軸１の操作によって芯高さを変更して燃焼量の調節を行なうことができる。
【００１８】
燃焼量の調節を行なうにあたって、燃焼部９の最大発熱量と最大芯高さが一致している時は燃焼量の調節範囲内であれば異常燃焼の恐れはない。しかし、使用する部屋の広さが変わるなどによって異なった最大発熱量を持つ燃焼部９を交換使用する時は、最大発熱量に対して最大芯高さが高すぎると過剰燃焼を起こす恐れがある。そして、過剰燃焼を防ぐには最大発熱量の変更に合わせて最大芯高さを一致する必要があるが、芯上下軸１を操作して最大発熱量と最大芯高さを一致させるのは難しく、芯の上げすぎによって過剰燃焼を起こすことが多かった。
【００１９】
この発明は上記の課題を解決する為のもので、ストッパー５と係合する回動板３の係合部３ａを複数個所設けてあり、３ｂは複数個所設けた係合部３ａのうち芯上下軸１が下位の燃焼位置に回動した時にストッパー５と係合する第二係合部、３ｃは上位の燃焼位置に回動した時にストッパー５と係合する第一係合部である。
【００２０】
６は芯上下軸１の芯上げ方向への回動を止める回転止めであり、該回転止め６は係止部２に対向するセット位置と、係止部２から離れる離開位置との間を可動することができる。そして、回転止め６が離開位置にある時は芯上下軸１を芯上げ方向に回動すると第一係合部３ｃがストッパー５と係合して上位の燃焼位置が保持される。一方、回転止め６をセット位置にした時は、芯上下軸１が下位の燃焼位置まで回動すると係止部２が回転止め６に当って芯上下軸１の回動が停止するから、回動板３の第二係合部３ｂがストッパー５と係合して下位の燃焼位置が保持される。
【００２１】
回転止め６によって芯上下軸１が下位の燃焼位置に保持される時の芯高さを、燃焼部９を変更した時の最大発熱量の低下に合わせて設定すれば、燃焼部９の変更によって最大発熱量を低下した時でも最大芯高さと最大燃焼量が一致して異常燃焼を起こすことなく燃焼するものである。
【００２２】
また、セット位置の回転止め６が芯上下軸１の係止片１ａに当接する様に配置すれば、下位の燃焼位置で回動板３の第二係合部３ｂとストッパー５とが係合している時には、芯上下軸１は係止部２から離れて芯降下位置との間で独立して回動できるが、セット位置に回動した回転止め６は芯上下軸１の上位の燃焼位置への回動を止めるから、回動板３とストッパー５とが係合状態のままでも正確に燃焼量調節を行なうことができる。
【００２３】
また、燃焼部９の変更する構造を示す図３の実施例において、９ａは燃焼部９の外壁を構成する外筒、９ｂは外筒９ａより外径の大きい上部筒であり、上部筒９ｂが外筒９ａの周囲を上下に移動する。９ｃは外筒９ａの天板に複数個所配置した長孔、９ｄは上部筒９ｂの底部に設けたＬ字片であり、上部筒９ｂを上方に移動した時に上部筒９ｂのＬ字片９ｄを外筒９ａの長孔９ｃに差し込んで上部筒９ｂを円周方向に回動すれば、上部筒９ｂは外筒９ａの上方で固定されるので、外筒９ａ・上部筒９ｂの全長を伸縮することができる。
【００２４】
この為、上部筒９ｂを上方に移動して外筒９ａ・上部筒９ｂの全長を伸ばした時は燃焼部９の上昇気流が強くなって最大発熱量が上昇し、上部筒９ｂを下方に移動して外筒９ａ・上部筒９ｂの全長を縮めた時は最大発熱量が低下するので、燃焼部９の最大発熱量が変更できる。
【００２５】
１２は回転止め６と上部筒９ｂとを連動する駆動レバー、６ａは回転止め６の支軸であり、上部筒９ｂを下動すると駆動レバー１２が押し下げられ、回転止め６は駆動レバー１２によって支軸６ａを中心にセット位置に回動する。
【００２６】
外筒９ａ・上部筒９ｂの全長を伸ばした時は回転止め６が離開位置にあるので芯上下軸１は上位の燃焼位置まで回動が可能であり、外筒９ａ・上部筒９ｂの全長を縮めた時は回転止め６がセット位置に回動し、セット位置に回動する回転止め６は芯上下軸１の係止片１ａを押すから、芯上下軸１が下位の燃焼位置まで回動し、芯上下軸１は回転止め６によって上位の燃焼位置への回動を止める。
【００２７】
この為、使用者が燃焼部９の最大発熱量の変更に合わせて芯上下軸１や回転止め６によって燃焼量を調節する必要はなく、燃焼部９の最大発熱量の低下に合わせて芯７の上昇位置が設定され、誤って芯７を上げすぎることがないから異常燃焼を発生する恐れがなく、安定した燃焼を行なうことができる。また、使用する部屋の広さに合わせて燃焼部９の最大発熱量を変更した時は適切な燃焼量での使用が可能となり、部屋の暖めすぎを防止して快適に使用できると共に、外筒９ａ・上部筒９ｂの全長を縮めた時には石油燃焼器が安定性を増すのでこんろとして使用してもよく、使い勝手が向上するものである。
【００２８】
【発明の効果】
この発明では、回転止め６が離開位置の時は回動板３の第一係合部３ｃがストッパー５と係合して上位の燃焼位置が保持され、回転止め６が可動位置の時は回動板３の第二係合部３ｂがストッパー５に係合して下位の燃焼位置が保持されるので、最大燃焼量の変更に合わせて回転止め６を操作することで最大芯高さが最大燃焼量に一致でき、異常燃焼を発生する恐れは全くなくなった。
【００２９】
また、回動板３の係合部３ａとストッパー５とが係合状態のまま芯上下軸１が回動するから、燃焼量の微調節が可能となると共に、回転止め６を可動位置に回動して回動板３の回転が止められた位置では、回動板３の第二係合部３ｂとストッパー５とが係合し、芯上下軸１を下位の燃焼位置に向けて回動させても、上位の燃焼位置への回動は止めるから、燃焼部９が変更しても異常燃焼を起こすようなことはない。
【００３０】
更に、燃焼部９が変更して最大発熱量が変わった時には、燃焼部９の最大発熱量に合わせて芯上下軸１や回転止め６によって燃焼量を調節する必要があるが、燃焼部９の外壁を外筒９ａと上部筒９ｂとで構成し、上部筒９ｂを下動して最大発熱量を下げた時には上部筒９ｂの動きと回転止め６とを連動して芯上下軸１の上位の燃焼位置への回動を止めるから、燃焼部９の最大発熱量の変更に合わせて芯７の上昇位置が設定され、異常燃焼を発生する恐れがなくなって安定した燃焼を行なうことができるものとなった。
【図面の簡単な説明】
【図１】この発明の実施例の作動状態を示す石油燃焼器の要部正面図である。
【図２】この発明の実施例の芯上下構造を示す断面図である。
【図３】この発明の実施例である石油燃焼器の燃焼部を伸ばした状態を示す切欠正面図である。
【図４】この発明の実施例である石油燃焼器の燃焼部を縮めた状態を示す切欠正面図である。
【符号の説明】
１    芯上下軸
２    係止部
３    回動板
３ａ  係合部
３ｂ  第二係合部
３ｃ  第一係合部
４    戻しバネ
５    ストッパー
６    回転止め
７    芯
８    芯収容筒
９    燃焼部
９ａ  外筒
９ｂ  上部筒
【図１】
0003780799.tif 000002
【図２】
0003780799.tif 000003
【図３】
0003780799.tif 000004
【図４】
0003780799.tif 000005